(57)【特許請求の範囲】
【請求項１】
冷却加熱兼用の商品収納庫を有し、冷却加熱の運転モードにより選択的に商品収納庫を冷却もしくは加熱する自動販売機であって、
冷媒を圧縮する圧縮機と、庫外に設け冷媒を凝縮する凝縮器と、この凝縮器の出口に接続された冷媒を膨張させる膨張手段と、膨張手段より膨張した冷媒を分配する分配器と、庫内に設け冷媒を蒸発する複数の蒸発器と、にて冷却循環回路を構成し、
前記圧縮機と、前記蒸発器とともに商品収納庫に配設された加熱熱交換器と、回転数が可変の庫外ファンと、この庫外ファンからの送風により放熱する庫外熱交換器と、圧力調整手段と、前記分配器と、前記蒸発器と、にて加熱冷却循環回路を構成するとともに、庫内温度を検知する庫内温度検知手段と、これらを制御する制御手段を有し、
当該制御手段は、庫内温度検知手段により検知した温度と、所定のサーモ運転開始温度およびサーモ運転停止温度との比較により庫内の冷却加熱を開始もしくは停止するサーモサイクル運転を行う自動販売機において、
前記サーモ運転開始温度およびサーモ運転停止温度の温度範囲内の値であって第2の判定低温度値、第2の判定高温度値を設け、加熱運転する商品収納庫が第2の判定低温度値よりも低い場合には、前記庫外ファンを減速または停止させて前記庫外熱交換器の放熱量を減少させ、加熱運転する商品収納庫が第2の判定高温度値よりも高く、かつ、冷却運転する商品収納庫が第2の判定高温度値よりも高い場合には、前記庫外ファンを加速させて前記庫外熱交換器の放熱量を増加させることを特徴とする自動販売機。
【発明の詳細な説明】
【技術分野】
【０００１】
本発明は、缶、ビン、パック、ペットボトル等の容器に入れた飲料等の商品を冷  媒回路にて冷却または加熱して販売に供する自動販売機に関する。
【背景技術】
【０００２】
近年の地球温暖化に対して二酸化炭素の排出量削減が課題となっており、自動  販売機も省エネ型が開発されている。その１方式として従来は排熱していた凝縮器  の熱を庫内の加熱に利用するヒートポンプ方式の自動販売機が注目されている（例  えば、特許文献１参照）。
しかしながら、この自動販売機は、庫内側の熱交換器を冷却時には蒸発器として  使用し、加温時には凝縮器として使用するため、自動販売機の冷却加熱の運転モー  ドによって、冷媒の流し方を変更させる必要がある結果、冷凍回路の配管が複雑に  なりコスト高を招来するという問題がある。
また、ＣＯ2冷媒を使用して、製造コストを低減させるために１つの商品収納庫  に冷却用熱交換器および加熱用熱交換器の２つの配管回路を設け、庫外に放熱用の  庫外熱交換器を用いて冷媒回路を構成することが知られている（例えば、特許文献  ２参照）。
【特許文献１】特開２００２−２９８２１０号公報
【特許文献２】特開２００６−１１４９３号公報
【発明の開示】
【発明が解決しようとする課題】
【０００３】
特許文献２に記載の冷媒回路では、庫内の加熱用熱交換器の下流側に直列に放熱  用の庫外熱交換器を接続しているので、冷凍サイクル上でエンタルピー差を大きく  取れ蒸発器の冷却能力が増加する。しかしながら、加熱する商品収納庫の温度が低  い場合には、その分庫内の加熱用熱交換器の凝縮温度が低下をするため、加熱熱交  換器の加熱能力が低下し、冷却室が早く適温に達する結果、その後はヒータによる  加熱単独運転になる。冷却加熱運転全体として、熱効率的に有利な（成績係数ＣＯ  Ｐが１以上での）ヒートポンプ運転時間が減少し、ヒータによる加熱単独運転が増  加をするので、消費電力が増加することになる。
本発明は、上記実情に鑑みなされたもので、複数の商品収納庫をヒートポンプ運  転する自動販売機において、冷却加熱特性の優れ、消費電力が少ない自動販売機を  提供することを目的とする。
【課題を解決するための手段】
【０００４】
上記の目的を達成するために、本発明に係る自動販売機は、冷却加熱兼用の商品収納庫を有し、冷却加熱の運転モードにより選択的に商品収納庫を冷却もしくは加熱する自動販売機であって、冷媒を圧縮する圧縮機と、庫外に設け冷媒を凝縮する凝縮器と、この凝縮器の出口に接続された冷媒を膨張させる膨張手段と、膨張手段より膨張した冷媒を分配する分配器と、庫内に設け冷媒を蒸発する複数の蒸発器と、にて冷却循環回路を構成し、前記圧縮機と、前記蒸発器とともに商品収納庫に配設された加熱熱交換器と、回転数が可変の庫外ファンと、この庫外ファンからの送風により放熱する庫外熱交換器と、圧力調整手段と、前記分配器と、前記蒸発器と、にて加熱冷却循環回路を構成するとともに、庫内温度を検知する庫内温度検知手段と、これらを制御する制御手段を有し、当該制御手段は、庫内温度検知手段により検知した温度と、所定のサーモ運転開始温度およびサーモ運転停止温度との比較により庫内の冷却加熱を開始もしくは停止するサーモサイクル運転を行う自動販売機において、前記サーモ運転開始温度およびサーモ運転停止温度の温度範囲内の値であって第2の判定低温度値、第2の判定高温度値を設け、加熱運転する商品収納庫が第2の判定低温度値よりも低い場合には、前記庫外ファンを減速または停止させて前記庫外熱交換器の放熱量を減少させ、加熱運転する商品収納庫が第2の判定高温度値よりも高く、かつ、冷却運転する商品収納庫が第2の判定高温度値よりも高い場合には、前記庫外ファンを加速させて前記庫外熱交換器の放熱量を増加させることを特徴とする。
【発明の効果】
【０００６】
本発明に係る自動販売機は、庫内の加熱熱交換器の下流に庫外熱交換器を設けてヒートポンプ運転を行うときに、庫外ファンを庫内空気温度に合せて庫外熱交換器からの放熱量を制御することにより、加熱運転する商品収納庫の庫内温度が低い場合には、前記庫外ファンを減速または停止させて庫内の加熱熱交換器の凝縮温度を上げて加熱効率を向上させ、加熱運転する商品収納庫の庫内温度が高く、かつ、冷却運転する商品収納庫の庫内温度が高い場合には、前記庫外ファンを増速させて庫内の蒸発器の冷却能力を向上させるので、冷却加熱運転全体として、熱効率的に有利なヒートポンプ運転時間が増加し、ヒータによる加熱単独運転および庫外の凝縮器で放熱する冷却単独運転の時間が減少をするので、消費電力を低減することができる。
【発明を実施するための最良の形態】
【０００７】
以下に添付図面を参照して、本発明に係る自動販売機の好適な実施例を詳細に説  明する。なお、この実施例によりこの発明が限定されるものではない。
（実施例）
まず、本発明の実施例１に係る自動販売機について図１―９を参照しつつ説明す  る。図１は本発明の実施例に係る自動販売機を示す斜視図、図２は、図１に示した  自動販売機の断面図であり、図３は本発明の実施例に係る冷媒回路図である。図４  は制御装置のブロック図を示し、図５はＣＣＣモードの冷媒の流れを示す回路図で  あり、図６はＨＣＣモードの冷媒の流れを示す回路図であり、（ａ）はヒートポン  プ運転時、（ｂ）は冷却単独運転時を示す。図７はＨＨＣモードの冷媒の流れを示  す回路図である。図８は実施例に係る自動販売機の制御のフローチャートである。  図９は実施例に係る制御の庫外ファンに関する動作表である。なお、冷却加熱の設  定モードを表すＣＣＣモード、ＣＨＣモード、ＨＨＣモードについての説明は後述  する。
これら図において、自動販売機は、前面が開口した直方状の断熱体として形成さ  れた本体キャビネット１０と、その前面に設けられた外扉２０および内扉３０と、  本体キャビネット１０の内部を上下２段に底板１１にて区画形成し、上部を例えば  ２つの断熱仕切板４０ｗによって仕切られた３つの独立した商品収納庫４０ａ、４  ０ｂ、４０ｃと、下部に商品収納庫４０ａ、４０ｂ、４０ｃを冷却もしくは加熱す  る冷却／加熱ユニット６０を収納する機械室５０と、外扉２０の内側に配設され、  商品収納庫４０ａ、４０ｂ、４０ｃ内の庫内温度センサＴａ、Ｔｂ、Ｔｃ、および  機械室５０内の周温センサＴｏにより自動販売機の冷却、加熱運転などを制御する  制御手段９０と、を有して構成されている。
【０００８】
より詳細に説明すると、外扉２０は、本体キャビネット１０の前面開口を開閉す  るためのものであり、図には明示していないが、この外扉２０の前面には、販売す  る商品の見本を展示する商品展示室、販売する商品を選択するための選択ボタン、  貨幣を投入するための貨幣投入口、払い出された商品を取り出すための商品取出口  ２１等々、商品の販売に必要となる構成が配置してある。
内扉３０は、商品収納庫４０ａ、４０ｂ、４０ｃの前面を開閉し、内部の商品を  保温するものであり、上下２段に分割され内部に断熱体を有する箱型形状の構造体  である。上側の内扉３０ａは、一端を外扉２０に枢軸し、他端を外扉２０に係着し  て、外扉２０の開放と同時に上側の内扉３０ａを開放させて、商品の補充を容易に  するものである。下側の内扉３０ｂは、一端を本体キャビネット１０に枢軸し、他  端を本体キャビネット１０に不図示の掛金にて掛着して、外扉２０を開放したとき  には、閉止した状態であり、商品収納庫４０ａ、４０ｂ、４０ｃ内の冷気もしくは  暖気が流出することを防ぎ、メンテナンス時など必要に応じて開放できるものであ  る。
商品収納庫４０ａ、４０ｂ、４０ｃは、缶入り飲料やペットボトル入り飲料等の  商品を所望の温度に維持した状態で収容するためのものであり、その収納庫の容量  は商品収納庫４０ｃ、４０ａ、４０ｂの順番に大きな態様で配分されている。本実  施例は、商品収納庫４０ｃを冷却専用とし、商品収納庫４０ａ、４０ｂを冷却加熱  兼用としている。その商品収納庫４０ａ、４０ｂ、４０ｃには、それぞれ、商品を  上下方向に沿って並ぶ態様で収納し、販売信号により1個ずつ商品を排出するため  の商品搬出機構を備えた商品収納ラックＲ、排出された商品Ｓを内扉３０ｂに取設  された搬出扉３１を介して外扉の販売口２１へ搬出する商品搬出シュート４２を有  している。
【０００９】
冷却／加熱ユニット６０は、冷凍サイクルを構成する圧縮機６１、凝縮器６２、  膨張弁６３、分流器６４と、底板１１を跨いで庫内の蒸発器６５ａ、６５ｂ、６５  ｃとを冷媒配管で連結した冷却部と、圧縮機６１、加熱熱交換器６６ａ、６６ｂ、  庫外熱交換器７６、電子膨張弁７９、蒸発器６５ａ、６５ｂ、とを冷媒配管で連結  した加熱部と、商品収納庫４０ａ、４０ｂに取設された加熱ヒータ８０ａ、８０ｂ  とから構成され、庫内に冷風または温風を循環させて商品収納ラックＲ内の商品Ｓ  を冷却または加熱するものである。
凝縮器６２の後部には庫外ファン６２ｆが取設され、庫外ファン６２ｆは機械室  ５０の前面開口部より空気を吸入し、凝縮器６２からの高温排熱および圧縮機６１  からの高温排熱と熱交換し、機械室５０の背面開口部へ排気する。
蒸発器６５ａ、６５ｂ、６５ｃは、商品収納庫４０ａ、４０ｂ、４０ｃを冷却す  るためのものであり、各商品収納庫の下部に取設されている。また、加熱熱交換器  ６６ｂ、６６ａは、蒸発器６５ｂ、６５ａの前に取設され、商品収納庫４０ｂ、４  ０ａを加熱するためのものである。蒸発器６５ａ、６５ｂ、６５ｃ、加熱熱交換器  ６６ｂ、６６ａは、各商品収納庫４０ａ、４０ｂ、４０ｃにおいて、風胴６７で囲  繞され、その後方には庫内ファン６５ｆおよびダクト６７ｄが取設されている。商  品収納庫内の冷却加熱は、蒸発器６５ａ、６５ｂ、６５ｃ、加熱熱交換器６６ｂ、  ６６ａにより冷却もしくは加熱された空気を商品収納庫内の商品Ｓに送風し、ダク  ト６７ｄより回収することで行われる。
【００１０】
庫外熱交換器７６は、凝縮器６２と機械室５０内に並設された熱交換器でヒート  ポンプ運転時に蒸発器６５ａ（もしくは６５ｂ）、６５ｃの蒸発量に見合うように  加熱熱交換器６６ａ，６６ｂの放熱量を補うためのものである。庫外熱交換器７６  の放熱のためのファンは、ここでは凝縮器６２の庫外ファン６２ｆにて兼用をして  いる。なお、ファンは、庫外ファン６２ｆと別置したものでも良い。
庫外ファン６２ｆは、前述のように庫外熱交換器７６、凝縮器６２による凝縮熱  を排気するためのものであり、プロペラ型の低圧高風量のファンである。庫外ファ  ン６２ｆは、制御装置９０からの制御指令により回転数を増減させて庫該熱交換機  の排気熱量を制御するものである。制御装置９０による庫外ファンの回転数の制御  は庫外ファン６２ｆの直流モータに通電する電流のパルス数を増減することにより  行われる。
冷却／加熱ユニット６０の冷媒回路構成について図３を用いて詳述する。冷媒回  路構成は、庫内を冷却のみを行う冷却循環回路８１と庫内の加熱冷却を同時に行う  （ヒートポンプ運転を行う）加熱冷却循環回路８２を有している。
冷却循環回路８１は、圧縮機６１、電磁弁６８、凝縮器６２、逆止弁７１、膨張  弁６３（膨張手段、細管でも良い）を介して、分流器６４に接続し、分流器６４よ  り電磁弁７０ａ、７０ｂ、７０ｃ、蒸発器６５ａ、６５ｂ、６５ｃに接続されて、  蒸発器６５ａ、６５ｂ、６５ｃからの配管は集合してアキュムレータ６９を介して  圧縮機６１に戻る回路である。
【００１１】
一方、加熱冷却循環回路８２は、圧縮機６１から並列に電磁弁６８ａ、６８ｂを  介して加熱熱交換器６６ａ、６６ｂに接続され、加熱熱交換器６６ａ、６６ｂから  逆止弁７１、７１を介して集合し、庫外熱交換器７６から圧力調整手段としての電  子膨張弁７９を介して分流器６４に接続され、蒸発器６５ａ、６５ｂ、６５ｃから  合流してアキュムレータ６９を介して圧縮機６１に戻る回路である。
なお、図３中の破線は、商品収納庫４０ａ、４０ｂ、４０ｃを示し、商品収納庫  ４０ａ、４０ｂ、４０ｃ内に庫内温度センサＴａ、Ｔｂ、Ｔｃおよび商品収納庫４  ０ａ、４０ｂに加熱ヒータ８０ａ、８０ｂが取設されていることを示す。また、周  温センサＴｏは、収納庫外の機械室５０に取設されていることを示す。
冷媒は、臨界圧力内で使用する冷媒、例えばフロン冷媒でＲ１３４ａを使用して  いる。
制御手段９０は、商品収納庫４０ａ、４０ｂ、４０ｃの冷却もしくは加熱を制御  するものであり、図４に示すように内部にＣＰＵ、メモリを有し、Ｈ／Ｃ設定モー  ドＳＷ９１により運転モードを設定して冷媒回路の電磁弁開閉の制御を行う。Ｈ／  Ｃ設定モードＳＷ９１は、商品収納庫４０ａ、４０ｂ、４０ｃの冷却もしくは加熱  の運転を設定するためのものであり、冷却の「Ｃ」と加熱の「Ｈ」の組み合わせで  表わし、商品収納庫の左側から順に（４０ａ、４０ｂ、４０ｃ）、例えば、すべて  が冷却の場合にはＣＣＣモード、左の商品収納庫のみが加熱の場合にはＨＣＣモー  ドと記す。
【００１２】
制御手段９０は、庫内温度センサＴａ、Ｔｂ、Ｔｃにより各庫内の温度を検知し  て、メモリ内に記憶されたサーモ運転停止温度（以下、サーモＯＦＦ設定温度とい  う）、およびサーモ開始運転温度（以下、サーモＯＮ設定温度という）と比較して  サーモサイクル運転を行う。具体的には、庫内温度がサーモＯＦＦ設定温度（例え  ば、冷却の場合は−２℃、加熱の場合は６５℃、以下冷却ＯＦＦ温度、加熱ＯＦＦ  温度という）になったときにはその庫内の蒸発器、加熱熱交換器に関する電磁弁を  閉止し、または、ヒータを停止する。庫内温度がサーモＯＮ設定温度（例えば、冷  却の場合は８℃、加熱の場合は４１℃、以下冷却ＯＮ温度、加熱ＯＮ温度という）  になったときにはその庫内の蒸発器、加熱熱交換器に関する電磁弁を開成し、また  は、ヒータを通電して、庫内を適温に制御する。
また、制御装置９０のメモリ内には、庫内温度の第２判定値として所定のサーモ  運転開始温度およびサーモ運転停止温度の温度範囲内の値で第2判定低温度値、第  2の判定高温度値を設けられている。たとえば、加熱の場合には、第2の判定低温  度値が４５℃、第2の判定高温度値が５５℃、冷却の場合には、第2の判定低温度  値が０℃、第2の判定高温度値が６℃として設定してある。後述するように、この  第２判定値は、庫外熱交換器７６の放熱量制御を庫外ファン６２ｆの回転数で行う  ことに使用される。
【００１３】
かかる構成でＨ／Ｃ設定モードＳＷ９１を操作してＣＣＣモードに設定すると、  制御手段９０は、電磁弁６８、７０ａ、７０ｂ、７０ｃを開成し、電磁弁６８ｂ、  ６８ａを閉止して、３室すべてを冷却する冷却単独運転を行う。具体的には、図５  で示すように圧縮機６１で圧縮された高温冷媒は、凝縮器６２に凝縮され液冷媒と  なり、膨張弁６３で膨張して低温の気液２相流となり、分流器６４で３方に分流さ  れ蒸発器６５ａ、６５ｂ、６５ｃで蒸発し、商品収納庫４０ａ、４０ｂ、４０ｃが  冷却される。気体となった冷媒は、液冷媒を貯留するアキュムレータ６９を介して  気液分離させて圧縮機６１に戻る。この冷却は、制御装置９０にて庫内温度センサ  Ｔａ、Ｔｂ、Ｔｃによるサーモサイクル運転により庫内温度が適温に制御される。  
ここで１室、例えば、商品収納庫４０ｃがサーモＯＦＦ設定温度（冷却ＯＦＦ温  度）に達すれば、電磁弁７０ｃを閉止して、２室の冷却単独運転が行われる。
また、Ｈ／Ｃ設定モードＳＷ９１を操作して左の１室を加熱するＨＣＣモードに  設定すると、制御手段９０は、電磁弁６８ａ、７０ｂ、７０ｃを開成し、電磁弁６  ８、６８ｂ、７０ａを閉止して、１室加熱、２室を冷却するヒートポンプ運転を行  う。具体的には、図６（ａ）で示すように圧縮機６１で圧縮された高温冷媒は、加  熱熱交換器６６ａに流入して、庫内の空気と熱交換して凝縮され、熱交換された空  気により商品収納庫４０ａを加熱する。加熱熱交換器６６ａで凝縮され高温冷媒は  、さらに庫外熱交換器７６で凝縮され、電子膨張弁７９で膨張される。電子膨張弁  ７９で膨張された冷媒は、低温の気液２相流となり、分流器６４で分流され蒸発器  ６５ｂ、６５ｃで蒸発し、商品収納庫４０ｂ、４０ｃが冷却される。蒸発器６５ｂ  、６５ｃで気体となった冷媒は、アキュムレータ６９を介して圧縮機６１に戻る。  このヒートポンプ運転も前述のようにサーモサイクル運転で庫内が適温に維持され  る。
【００１４】
ここで加熱運転している商品収納庫４０ａがサーモＯＦＦ設定温度（加熱ＯＦＦ  温度）に達すれば、商品収納庫４０ｂ、４０ｃの２室の冷却単独運転が行われる。  具体的には、図６（ｂ）に示すように電磁弁６８ａを閉止し、電磁弁６８を開成し  て、圧縮機６１、凝縮器６２、膨張弁６３、凝縮器６５ｂ、６５ｃで形成される冷  却循環回路８１を冷媒が循環することにより冷却単独運転が行われる。このとき、  凝縮器６２で発生する凝縮熱は自動販売機外に放出されることになり、その分消費  電力が増加することになる。
また、Ｈ／Ｃ設定モードＳＷ９１を操作して左側と中央の２室を加熱するＨＨＣ  モードに設定すると、制御手段９０は、電磁弁６８ｂ、６８ａ、７０ｃを開成し、  電磁弁６８、７０ｂ、７０ａを閉止して、２室加熱、１室を冷却するヒートポンプ  運転を行う。具体的には、図７で示すように圧縮機６１で圧縮された高温冷媒は、  加熱熱交換器６６ｂ、６６ａに流入して、庫内の空気と熱交換して凝縮され、熱交  換された空気により商品収納庫４０ｂ、４０ａを加熱する。加熱熱交換器６６ｂ、  ６６ａで凝縮された高温冷媒は、さらに庫外熱交換器７６で凝縮され、電子膨張弁  ７９で膨張される。電子膨張弁７９で膨張された冷媒は、低温の気液２相流となり  、分流器６４を経由して蒸発器６５ｃで蒸発し、商品収納庫４０ｃが冷却される。  蒸発器６５ａで気体となった冷媒は、アキュムレータ６９を介して圧縮機６１に戻  り冷凍サイクル運転がされる。このヒートポンプ運転も前述のようにサーモサイク  ル運転で庫内が適温に維持される。
【００１５】
ここで冷却運転している商品収納庫４０ｃがサーモＯＦＦ設定温度（冷却ＯＦＦ  温度）に達すれば、商品収納庫４０ａ、４０ｂの２室の加熱単独運転が行われる。  具体的には、圧縮機６１を停止し、全ての電磁弁を閉止して、ヒータ８０ｂ、８０  ｃを通電する。このとき、ヒータ８０ｂ、８０ｃによる加熱は、成績係数ＣＯＰが  １以上のヒートポンプ運転と比較して熱効率が低いので、消費電力が増加すること  になる。
次に、冷却加熱の制御方法について、図８、９のフローチャート、動作表を参照  しつつ説明をする。なお、説明の便宜上、以下、商品収納庫４０ａ、４０ｂ、４０  ｃを左室４０ａ、中室４０ｂ、右室４０ｃといい、冷却運転する商品収納庫を冷却  室、加熱運転する商品収納庫を加熱室という。
まず、図８に示すように、冷却加熱運転が停止をしている状態、すなわち圧縮機  ６１が停止し、全ての電磁弁が閉止をしている状態から運転開始の条件（Ｓ１１）  が発生した場合から説明をする。ステップＳ１１の運転開始の条件とは、具体的に  は、加熱室の１室が加熱ＯＮ温度以下となった場合、または、冷却室の全てが冷却  ＯＮ温度以上になった場合であり、運転開始の条件が発生すると制御手段９０は圧  縮機６１を起動して冷却加熱運転を開始した後、庫内温度を読み込み（Ｓ１２）、  庫内温度の判定を行う（Ｓ１３）。ステップＳ１３の庫内温度の判定では、冷却中  の冷却室がそれぞれ冷却ＯＦＦ温度に到達したか、加熱中の加熱室が加熱ＯＦＦ温  度に到達したかを判定する。
【００１６】
加熱中の加熱室が加熱ＯＦＦ温度に到達したときには（Ｓ１３／分岐１）、加熱  室の運転を停止し（Ｓ１４）、まだ加熱中の加熱室があるかを判定する（Ｓ１５）  。加熱中の加熱室があれば（Ｓ１５／Ｎｏ）、ステップＳ１２に戻り、加熱中の加  熱室がなければ（Ｓ１５／Ｙｅｓ）、図６（ｂ）に示すような冷却単独の運転に切  り替わり、ステップＳ１２に戻る。
前記ステップＳ１３で冷却中の冷却室が冷却ＯＦＦ温度に到達したときには（Ｓ  １３／分岐２）、その冷却室の運転を停止し（Ｓ１７）、まだ冷却中の冷却室があ  るかを判定する（Ｓ１８）。冷却中の冷却室があれば（Ｓ１８／Ｎｏ）、ステップ  Ｓ１２に戻り、冷却中の冷却室がなければ（Ｓ１８／Ｙｅｓ）、ヒータ８０ａまた  は８０ｂ（または両方）による加熱単独の運転に切り替わり、ステップＳ１２に戻  る。
なお、ステップＳ１３にて全ての商品収納庫４０ａ，４０ｂ，４０ｃが加熱もし  くは冷却のＯＦＦ温度に達すれば（Ｓ１３／分岐３）、圧縮機６１を停止して冷却  加熱運転を中止して、運転開始の条件が発生するまで待機することになる。
また、ステップＳ１３で冷却中の冷却室が冷却ＯＦＦ温度に到達せず、加熱中の  加熱室も加熱ＯＦＦ温度に到達していないときには（Ｓ１３／分岐４）、ヒートポ  ンプ運転を継続し、庫内温度の第２判定を行う（Ｓ２０）。ステップＳ２０の第２  判定では、第２判定値として所定のサーモ運転開始温度およびサーモ運転停止温度  の温度範囲内の値に設定された第2の判定低温度値、第2の判定高温度値が使用さ  れる。第２判定値と各室の庫内温度を比較して、図９の動作表に示されるように、  Ｈ／Ｃ設定モードＳＷ９１によって設定された運転モードに応じて庫外ファン６２  ｆを全速で回転させる場合（Ｓ２０／分岐１）、庫外ファン６２ｆを中速または低  速で回転させる場合（Ｓ２０／分岐２）、庫外ファン６２ｆを停止する場合（Ｓ２  ０／分岐３）に分岐する制御が行われる。
【００１７】
例えば、ＣＨＣモードにおいて、加熱室である中室４０ｂの庫内温度が第2の判  定高温度値（例えば５５℃）より高く、冷却室である左室４０ａ、右室４０ｃの庫  内温度が第2の判定高温度値（例えば６℃）より高い場合には、冷却室の冷却能力  が不足気味であるので、庫外ファン６２ｆを全速で回転させ、庫外熱交換器７６の  放熱量を増やすことにより、蒸発器６５ａ，６５ｃの蒸発量を増やし、冷却室の冷  却能力を増加させるヒートポンプ運転を行う。また、加熱室である中室４０ｂの庫  内温度が前記第2の判定高温度値より高く、冷却室である左室４０ａ、右室４０ｃ  の一方の庫内温度が前記第2の判定高温度値より高く、他方の庫内温度が第2の判  定低温度値（例えば０℃）より低い場合には、庫外ファン６２ｆを中速または低速  で回転させ、適宜な凝縮温度と冷却能力でヒートポンプ運転を行う。また、加熱室  である中室４０ｂの庫内温度が第2の判定低温度値（例えば４５℃）より低く、冷  却室である左室４０ａ、右室４０ｃの庫内温度が、前記第2の判定高温度値より高  いかもしくは前記第2の判定低温度値より低い場合には、中室４０ｂの加熱能力が  不足しているので、庫外ファン６２ｆを停止させ、庫外熱交換器７６の放熱量を自  然放熱分に抑制することにより、加熱熱交換器６６ｂの凝縮温度を上昇させて中室  ４０ｂの加熱能力を増加させるヒートポンプ運転を行う。なお、このときには、さ  らに庫内ファン６５ｆの回転数を上げて加熱熱交換器６６ｂの放熱量を増加させて  も良い。
【００１８】
また、ＨＣＣモードにおいても、前述のように加熱室の庫内温度が前記第２の判  定高温度値（例えば５５℃）より高く、冷却室２室の庫内温度が前記第２の判定高  温度値（例えば６℃）より高い場合には、冷却室の冷却能力が不足気味であるので  、庫外ファン６２ｆを全速で回転させ、庫外熱交換器７６の放熱量を増やすことに  より、冷却室の冷却能力を増加させるヒートポンプ運転を行う。また、加熱室の庫  内温度が前記第2の判定高温度値より高く、冷却室の一方の庫内温度が前記第2の  判定高温度値より高く、他方の庫内温度が前記第2の判定低温度値（例えば０℃）  より低い場合には、庫外ファン６２ｆを中速または低速で回転させ、適宜な凝縮温  度と冷却能力でヒートポンプ運転を行う。また、加熱室の庫内温度が前記第2の判  定低温度値（例えば４５℃）より低く、冷却室の庫内温度が、前記第2の判定高温  度値より高いかもしくは前記第2の判定低温度値より低い場合には、加熱室の加熱  能力が不足しているので、庫外ファン６２ｆを停止させ、庫外熱交換器７６の放熱  量を抑制することで、加熱熱交換器６６ｂの凝縮温度を上昇させて加熱室の加熱能  力を増加させるヒートポンプ運転を行う。
また、２室を加熱するＨＨＣモードにおいては、加熱室である左室４０ａ、中室  ４０ｂの庫内温度が前記第2の判定高温度値（例えば５５℃）より高く、冷却室で  ある右室４０ｃの庫内温度が前記第2の判定高温度値（例えば６℃）より高い場合  には、冷却室の冷却能力が不足気味であるので、庫外ファン６２ｆを全速で回転さ  せ、庫外熱交換器７６の放熱量を増やすことにより、蒸発器６５ｃの蒸発量を増や  し、冷却室の冷却能力を増加させる。また、加熱室である左室４０ａ、中室４０ｂ  の一方の庫内温度が前記第2の判定高温度値より高く、他方の庫内温度が第2の判  定低温度値より低い場合であって、冷却室である右室４０ｃの庫内温度が前記第2  の判定高温度値より高い場合には、一方の加熱室の加熱能力が不足しているので、  庫外ファン６２ｆを停止させ、庫外熱交換器７６の放熱量を微量にすることで、加  熱熱交換器６６ａ、６６ｂの凝縮温度を上昇させて加熱室の加熱能力を増加させる  。また、加熱室の庫内温度が２室ともに前記第2の判定低温度値（例えば４５℃）  より低く、冷却室である右室４０ｃの庫内温度が前記第2の判定高温度値より高い  かもしくは前記第2の判定低温度値（例えば０℃）より低い場合には、中室４０ａ  ，４０ｂの加熱能力が不足しているので、庫外ファン６２ｆを停止させ、庫外熱交  換器７６の放熱量を微量にすることで、加熱熱交換器６６ｂの凝縮温度を上昇させ  て中室４０ａ，４０ｂの加熱能力を増加させる。
【００１９】
このように、庫内温度センサＴａ，Ｔｂ，Ｔｃにより検出される庫内温度に基づ  いて庫外ファン６２ｆの回転数を制御して加熱熱交換器と接続された庫外熱交換器  ７６からの放熱量を可変制御することにより、加熱運転する商品収納庫の庫内温度  が低い場合には、前記庫外ファン６２ｆを減速または停止させて庫内の加熱熱交換  器６６ａ,６６ｂの凝縮温度を上げて加熱効率を向上させ、加熱運転する商品収納  庫の庫内温度が高く、かつ、冷却運転する商品収納庫の庫内温度が高い場合には、  前記庫外ファン６２ｆを加速させて庫内の蒸発器の冷却能力を向上させるので、冷  却加熱運転全体として、熱効率的に有利なヒートポンプ運転時間が増加し、ヒータ  による加熱単独運転および庫外の凝縮器で放熱する冷却単独運転の時間が減少をす  るので、消費電力を低減することができる。
【産業上の利用可能性】
【００２０】
以上のように、本発明に係る自動販売機は、缶、ビン、パック、ペットボトル等  の容器に入れた飲料等の商品を冷媒回路にて冷却または加熱するのに適している。  
【図面の簡単な説明】
【００２１】
【図１】本発明の実施例に係る自動販売機を示す斜視図である。
【図２】図１に示した自動販売機の断面図である。
【図３】本発明の実施例に係る冷媒回路図である。
【図４】制御装置のブロック図である。
【図５】ＣＣＣモードの冷媒の流れを示す回路図である。
【図６】ＨＣＣモードの冷媒の流れを示す回路図であり、（ａ）はヒートポン  プ運転時、（ｂ）は冷却単独運転時を示す。
【図７】ＨＨＣモードの冷媒の流れを示す回路図である。
【図８】実施例に係る自動販売機の制御のフローチャートである。
【図９】実施例に係る制御の動作表である。
【符号の説明】
【００２２】
１０    本体キャビネット
２０    外扉
３０    内扉
４０ａ、４０ｂ、４０ｃ    商品収納庫（左室、中室、右室）
６０    冷却／加熱ユニット
６１    圧縮機
６２    凝縮器
６２ｆ    庫外ファン
６３    膨張弁（膨張手段）
６５ａ、６５ｂ、６５ｃ    蒸発器
６８ｂ、６８ｃ  電磁弁
８０ｂ、８０ｃ    加熱ヒータ
９０    制御装置
９１    Ｈ／Ｃ設定モード選択ＳＷ
Ｔａ、Ｔｂ、Ｔｃ    庫内温度センサ
Ｔｏ    周温センサ
【図１】
0005169383.tif 000002
【図２】
0005169383.tif 000003
【図３】
0005169383.tif 000004
【図４】
0005169383.tif 000005
【図５】
0005169383.tif 000006
【図６】
0005169383.tif 000007
【図７】
0005169383.tif 000008
【図８】
0005169383.tif 000009
【図９】
0005169383.tif 000010